(57)【要約】【課題】検出対象を精度良く判別することができる静電容量式センサを提供する。【解決手段】本発明の静電容量式センサは、第一検出電極１１Ａおよび第二検出電極１１Ｂを有するセンサ本体部１を備え、第二検出電極１１Ｂは、第一検出電極１１Ａを境に検出対象とは反対側に、検出対象側から見た際に第一検出電極１１Ａに少なくとも一部が重なるように配置されており、センサ本体部１が座面９１１側から押圧された場合における第一検電極１１Ａおよび第二検出電極１１Ｂの重なり面積が、センサ本体部１が座面９１１側から押圧されていない場合における第一検電極１１Ａおよび第二検出電極１１Ｂの重なり面積よりも小さい。【選択図】  図６
2013190405.tif 000002
【特許請求の範囲】
【請求項１】
検出対象に対向して配置される第一検出電極（１１Ａ）および第二検出電極（１１Ｂ）を有するセンサ本体部（１）と、
基準電位が与えられた基準電極（３）と、
前記第一検出電極（１１Ａ）および前記第二検出電極（１１Ｂ）に検出電圧を印加し、前記第一検出電極（１１Ａ）と前記基準電極（３）との間、および前記第二検出電極（１１Ｂ）と前記基準電極（１３）との間に電界を形成する電圧印加部（２１）と、
前記検出電圧の印加により前記第一検出電極（１１Ａ）および前記第二検出電極（１１Ｂ）に流れる電流を検出する電流検出部（２２）と、
前記検出電圧及び前記電流検出部（２２）で検出された電流に基づいて静電容量を検出する容量検出部（２３）と、
前記容量検出部（２３）で検出された静電容量に基づいて前記検出対象を判別する判別部（２４）と、
を備え、
前記第一検出電極と前記第二検出電極（１１Ｂ）とは、前記検出対象側から見た際に少なくとも一部が重なるように配置されており、前記センサ本体部（１）が前記検出対象によって押圧された場合における前記第一検電極（１１Ａ）および前記第二検出電極（１１Ｂ）の重なり面積が、前記センサ本体部（１）が前記検出対象によって押圧されていない場合における前記第一検電極（１１Ａ）および前記第二検出電極（１１Ｂ）の重なり面積よりも小さいことを特徴とする静電容量式センサ。
【請求項２】
前記第一検出電極（１１Ａ）は、延在方向の一端側端部が前記検出対象による押圧に対して固定され、
前記第二検出電極（１１Ｂ）は、延在方向の前記一端側以外の端部が前記検出対象による押圧に対して固定されている請求項１に記載の静電容量式センサ。
【請求項３】
前記センサ本体部（１）は、車両のシート（９）の座面部（９１）内に配置され、
前記基準電極（３）は、車両ボディ（３）であり、
前記判定部（２４）は、前記容量検出部（２３）で検出された静電容量に基づいて乗員を判別する請求項１または２に記載の静電容量式センサ。
【請求項４】
前記センサ本体部（１）は、前記乗員の着座時に押圧される位置に基づいて配置されている請求項３に記載の静電容量式センサ。
【発明の詳細な説明】
【技術分野】
【０００１】
本発明は、静電容量により検出対象を判別する静電容量式センサに関する。
【背景技術】
【０００２】
静電容量式センサは、２つの電極間の静電容量の変化により検出対象の有無や種類を判別するセンサである。静電容量式センサは、例えばタッチパネルや乗員検知などに利用される。静電容量式乗員検知センサとしては、例えば特開２００８−１１１８０９号公報（特許文献１）に記載されている。静電容量式乗員検知センサは、１つの電極が車両のシート内に配置され、静電容量の変化に基づいて乗員の着座の有無や乗員の種類（大人やチャイルドシート（ＣＲＳ）に搭乗した子供等）を判別する。具体的には、電極間に介在した検出対象の比誘電率の違い（例えば空気約１、ＣＲＳ約２〜５、大人約５０）から、検出される静電容量に変化が生じ、当該変化により検出対象が判別される。
【先行技術文献】
【特許文献】
【０００３】
【特許文献１】特開２００８−１１１８０９号公報
【発明の概要】
【発明が解決しようとする課題】
【０００４】
しかしながら、静電容量式センサでは検出対象と接触面（シートの座面やタッチパネルの画面等）との間に人体以外の厚いものが介在している場合、静電容量の変化が小さくなり、検出精度が低下してしまう。
【０００５】
乗員検知センサの場合、例えば乗員が厚着であったり座面上に座布団が配置されていたりすると、着座による静電容量の増加量は想定より小さくなる可能性がある。また、子供が搭乗したＣＲＳが着座している場合、ＣＲＳの導体や周辺の導体と電界形成してしまい、静電容量の増加量が想定より大きくなる可能性がある。これにより、大人とＣＲＳ搭乗の子供との静電容量差が小さくなり、判別精度が低下するおそれがある。
【０００６】
また、タッチパネルの場合、例えば手袋を着けている状態で画面をタッチしても静電容量の増加量が小さく、画面押圧が検出できないおそれがあった。
【０００７】
本発明は、このような事情に鑑みて為されたものであり、検出対象を精度良く判別することができる静電容量式センサを提供することを目的とする。
【課題を解決するための手段】
【０００８】
本発明の静電容量式センサは、検出対象に対向して配置される第一検出電極（１１Ａ）および第二検出電極（１１Ｂ）を有するセンサ本体部（１）と、基準電位が与えられた基準電極（３）と、前記第一検出電極（１１Ａ）および前記第二検出電極（１１Ｂ）に検出電圧を印加し、前記第一検出電極（１１Ａ）と前記基準電極（３）との間、および前記第二検出電極（１１Ｂ）と前記基準電極（１３）との間に電界を形成する電圧印加部（２１）と、前記検出電圧の印加により前記第一検出電極（１１Ａ）および前記第二検出電極（１１Ｂ）に流れる電流を検出する電流検出部（２２）と、前記検出電圧及び前記電流検出部（２２）で検出された電流に基づいて静電容量を検出する容量検出部（２３）と、前記容量検出部（２３）で検出された静電容量に基づいて前記検出対象を判別する判別部（２４）と、を備え、前記第一検出電極と前記第二検出電極（１１Ｂ）とは、前記検出対象側から見た際に少なくとも一部が重なるように配置されており、前記センサ本体部（１）が前記検出対象によって押圧された場合における前記第一検電極（１１Ａ）および前記第二検出電極（１１Ｂ）の重なり面積が、前記センサ本体部（１）が前記検出対象によって押圧されていない場合における前記第一検電極（１１Ａ）および前記第二検出電極（１１Ｂ）の重なり面積よりも小さいことを特徴とする。
【０００９】
この構成によれば、センサ本体部が変位することで、基準電極と電界を形成する第一検出電極と前記第二検出電極の合計面積が、センサ本体部が変位していない状態の合計面積と比較して大きくなる。これにより、センサ本体部が検出対象に押圧された際の静電容量の増加量が大きくなり、検出対象を精度良く判別することができる。
【００１０】
なお、「対象を判別する」とは、対象の有無及び対象の種類のうち少なくとも一方を判別することを意味する。また、この欄および特許請求の範囲で記載した各手段の括弧内の符号は、後述する実施形態に記載の具体的手段との対応関係を示すものである。
【図面の簡単な説明】
【００１１】
【図１】第一実施形態の静電容量式センサの構成を示す概念図である。
【図２】第一実施形態の静電容量式センサの回路構成を示す概念図である。
【図３】第一実施形態のセンサ本体部を示す平面図である。
【図４】第一実施形態のセンサ本体部を示す概略平面図である。
【図５】第一実施形態のセンサ本体部を示す断面図である。
【図６】第一実施形態のセンサ本体部の変位前と変位後を説明するための概念図である。
【図７】ＣＲＳが配置された際の第一実施形態のセンサ本体部を示す概念図である。
【図８】大人が着座した際の第一実施形態のセンサ本体部を示す概念図である。
【図９】第一実施形態の静電容量式センサと従来とにおいて検出される静電容量を示すグラフである。
【図１０】第二実施形態の静電容量式センサの回路構成を示す概念図である。
【図１１】第二実施形態のセンサ本体部を示す断面図である。
【図１２】第二実施形態のセンサ本体部の変位前を説明するための概念図である。
【図１３】第二実施形態のセンサ本体部の変位後を説明するための概念図である。
【図１４】ＣＲＳが配置された際の第三実施形態のセンサ本体部を示す概念図である。
【図１５】大人が着座した際の第三実施形態のセンサ本体部を示す概念図である。
【図１６】大人が着座した際の座面に加わる圧力の圧力分布を説明するための概念図である。
【図１７】ＣＲＳが配置された際の座面に加わる圧力の圧力分布を説明するための概念図である。
【図１８】第二実施形態のセンサ本体部の変形態様を示す平面図である。
【発明を実施するための形態】
【００１２】
次に、好ましい実施形態を挙げ、本発明をより詳しく説明する。実施形態は、本発明を乗員検知センサに適用したものである。なお、図面は概念図であり、細かな寸法を表すものではない。
【００１３】
＜第一実施形態＞
第一実施形態の静電容量式センサは、図１及び図２に示すように、センサ本体部１と、乗員検知ＥＣＵ２と、車両ボディ３と、を備えている。センサ本体部１は、フィルム状のセンサマットであり、車両のシート９の座面部９１内に（例えばクッション間に）配置されている。なお、シート９は、座面部９１と、背もたれ部９２と、を備えている。また、座面部９１は、乗員等が着座する際に接触する接触面である座面９１１を備えている。
【００１４】
センサ本体部１は、図３に示すように、検出対象（又は座面９１１）側から見た際（平面視）において、２つに分離したセンサマットが重なって長方形に形成されている。具体的に、センサ本体部１は、図４に示すように、第一検出電極１１Ａと、第二検出電極１１Ｂと、を備えている。第一検出電極１１Ａは、絶縁性材料（例えばＰＥＴ）からなる二枚のフィルム部材（図示せず）に挟まれて第一センサ部１Ａを構成している。同様に、第二検出電極１１Ｂは、二枚のフィルム部材（図示せず）に挟まれて第二センサ部１Ｂを構成している。
【００１５】
第一検出電極１１Ａおよび第二検出電極１１Ｂは、平板状の導電材料であり、センサ本体部１内に配置されている。第一検出電極１１Ａは、センサ本体部１の分離した一方側（第一センサ部１Ａ）内に配置され、第二検出電極１１Ｂは、センサ本体部１の分離した他方側（第二センサ部１Ｂ）内に配置されている。また、第一検出電極１１Ａおよび第二検出電極１１Ｂは、後述する電圧印加部２１及び電流検出部２２に接続されている。
【００１６】
第一検出電極１１Ａおよび第二検出電極１１Ｂは、検出対象に対向して配置される。換言すると、第一検出電極１１Ａおよび第二検出電極１１Ｂは、検出対象が検出範囲に存在する場合に、当該検出対象に対向するように配置される。本実施形態では、第一検出電極１１Ａおよび第二検出電極１１Ｂは、検出対象の検出範囲である座面９１１に対向して配置されている。なお、第一検出電極１１Ａおよび第二検出電極１１Ｂの詳細な構成については後述する。
【００１７】
乗員検知ＥＣＵ２は、電子制御ユニットであって、図２に示すように、電圧印加部２１と、電流検出部２２と、容量検出部２３と、判別部２４と、を備えている。電圧印加部２１は、車両接地ＧＮＤ及び検出電極１１に接続されている。電圧印加部２１は、交流電源であって、検出電極１１に交流電圧（検出電圧）を印加する。これにより、検出電極１１は、車両接地ＧＮＤに接続された車両ボディ３との間（「検出−ボディ間」とも称する）に電界を形成する。
【００１８】
電流検出部２２は、電流センサであって、電圧印加部２１の電圧印加により検出電極１１に流れる電流を検出する。容量検出部２３は、電流検出部２２及び判別部２４に接続されている。容量検出部２３は、電圧印加部２１の印加する電圧と、電流検出部２２が検出した電流とに基づいて、検出電極１１が形成する電界における静電容量を算出する。静電容量は、電圧印加時の電流経路におけるインピーダンスの虚数成分に基づき算出でき、虚数成分は電流と電圧の位相のずれから算出できる。
【００１９】
判別部２４は、容量検出部２３の検出結果と予め設定された閾値とに基づいて、乗員の有無、及び乗員が大人かＣＲＳであるかを判別する。車両ボディ３は、車両のボディ部分であるとともに電極を構成し、基準電位である車両接地ＧＮＤが与えられている。
【００２０】
図３および図４に示すように、第一検出電極１１Ａおよび第二検出電極１１Ｂは、センサ本体部１内に、座面９１１側（上側）から第一検出電極１１Ａ、第二検出電極１１Ｂの順に一部が重なって配置されている。すなわち、第二検出電極１１Ｂは、第一検出電極１１Ａを境に検出対象（又は座面９１１）とは反対側（下側）に、検出対象（又は座面９１１）側から見た際に第一検出電極１１Ａに一部が重なるように配置されている。また、第二検出電極１１Ｂは、センサ本体部１が押圧されて変位した状態で、第一検出電極１１Ａの変位に伴って変位するように構成されている。換言すると、第二センサ部１Ｂは、第一センサ部１Ａが押圧されて変位すると、当該変位に伴って押圧されて変位する。
【００２１】
第一センサ部１Ａの左端部は、座面部９１内部の左端部位（ウレタン部位）９１Ａに固定されている。第二センサ部１Ｂは、第一検出電極１１Ａの下方側且つ車両幅方向右側にずれた位置に配置されている。第二センサ部１Ｂの右端部は、座面部９１内部の右端部位（ウレタン部位）９１Ｂに固定されている。第一検出電極１１Ａの左端部及び第二検出電極１１Ｂの右端部は、直接的又はフィルム部材を介した間接的に、座面部９１に固定されている。
【００２２】
このように、第一検出電極１１Ａは、座面９１１に略平行な平面方向の一端側端部である左端部が座面部９１に固定されている。また、第二検出電極１１Ｂは、前座面９１１に略平行な平面方向の一端側端部以外の端部である右側端部が座面部９１に固定されている。第一検出電極１１Ａは、自身が検出対象（又は座面９１１）に対向して拡がっている延在方向の一端部が検出対象による押圧に対して固定され、第二検出電極１１Ｂは、自身の延在方向の一端部以外の端部が検出対象による押圧に対して固定されている。換言すると、第一検出電極１１Ａは、検出対象（又は座面９１１）に対向する対向方向に交差する平面方向の一端側端部が検出対象による押圧に対して固定されており、第二検出電極１１Ｂは、当該平面方向の一端側端部以外の端部が検出対象による押圧に対して固定されている。本実施形態では、対向方向が略上下方向であり、平面方向が上下方向に交差（略直交）する方向である。
【００２３】
センサ本体部１が上述のように構成されているので、図５及び図６に示すように、センサ本体部１が座面９１１側から押圧された場合における第一検出電極１１Ａおよび第２検出電極１１Ｂの重なり面積Ｋ１（図５参照）が、センサ本体部１が座面９１１側から押圧されていない場合における第一検出電極１１Ａおよび第２検出電極１１Ｂの重なり面積Ｋ２（図６参照）よりも小さくなる。
【００２４】
このため、センサ本体部１が変形していない（座面９１１側から押圧されていない）場合における乗員と結合する電極面積をＳとしたとき、センサ本体部１が座面９１１側から押圧されて変形した場合における乗員と結合する電極面積はＳ＋αとなる。つまり、センサ本体部１が座面９１１側から押圧されて変形した場合は、センサ本体部１が変形（変位）していない（座面９１１側から押圧されていない）場合と比較して、乗員と結合する電極面積が増加する。すなわち、センサ本体部１が変位した状態では、基準電極と電界を形成する第一検出電極１１Ａと第二検出電極１１Ｂの合計面積が、センサ本体部１が変位していない状態の合計面積と比較して大きくなる。このため、センサ本体部１が変位した場合では、センサ本体部１が変位していない場合と比較して容量検出部２３で検出される静電容量が増加する。
【００２５】
ここで、センサ本体部１の配置例及び大人とＣＲＳの判別について説明する。図７に示すように、子供を搭乗させたＣＲＳが座面９１１上に配置された場合、ＣＲＳによる座面９１１への押圧（面圧）はほぼ均等であり、センサ本体部１は、部分的に変位することがほとんどない。
【００２６】
一方、図８に示すように、大人が座面９１１上に着座した場合、座面９１１への押圧は、お尻や太股等の座面接触部分のみが大きくなり、センサ本体部１の一部が下方に押し込まれて変位する。具体的に、第一検出電極１１Ａの右端が押し下げられ、第一検出電極１１Ａにより第二検出電極１１Ｂの左端が押し下げられる。これにより、乗員と結合する電極面積が増加して、当該増加した電極面積の分だけ全体の静電容量が増加する。
【００２７】
図９に示すように、本実施形態によれば、検出される静電容量は、従来と比較して全体的（乗員なし、ＣＲＳ＋１歳児、厚着した大人）に大きくなっている。そして、従来では僅かしかなかったＣＲＳ＋１歳児と厚着した大人との静電容量の差は、大きくなっている。ＣＲＳ＋１歳児と厚着した大人において、本実施形態の静電容量差は、従来の静電容量差の約7倍となっている。
【００２８】
これは、上記のように、大人が着座した場合、センサ本体部１の一部が変位して、乗員と結合する電極面積が増加し、検出される静電容量が大きくなったことに起因している。静電容量の差が大きいほど、違いが明らかになり、確実に両者を判別することができる。例えば閾値は、両静電容量値の中間に設定しても良い。このように、本実施形態によれば、厚着等の乗員状況に関わらず、ＣＲＳと大人を精度良く判別することができる。
【００２９】
なお、第二検出電極１１Ｂの第一検出電極１１Ａと重なっている部分は、第一検出電極１１Ａのガード電極として機能する。ガード電極については第二実施形態で説明するが、検出電極が対象を含んで基準電極と電界を形成するようにする電極である。したがって、本実施形態によれば、ガード電極を設けなくてもガード機能が発揮される。ただし、ガード電極を設けることで確実にガード機能を発揮させても良い。つまり、第一センサ部１Ａは、第一検出電極１１Ａの下方にフィルム部材を介してガード電極を有している。また、第二センサ部１Ｂは、第二検出電極１１Ｂの下方にフィルム部材を介してガード電極を有している。各ガード電極は、電圧印加部２２からオペアンプ等を介して検出電極と実質的に同電位の電圧が印加される。各ガード電極の下方はフィルム部材で保護されている。このように、センサ部１Ａ、１Ｂそれぞれにガード電極を設けても良い。
【００３０】
＜第二実施形態＞
第二実施形態の静電容量式センサについて図１０〜図１５を参照して説明する。第二実施形態は、第一実施形態と比較して、センサ本体部の構成等が異なっている。したがって、当該異なっている部分のみ説明する。
【００３１】
図１０に示すように、本実施形態のセンサ本体部１は、第一センサ部１Ａと、第一センサ部１Ａの下方側に一部重なって配置された第二センサ部１Ｂとを備えている。第一センサ部１Ａは、第一検出電極１１Ａと、第一ガード電極１２Ａと、サブ基準電極１３と、図示しない４枚のフィルム部材とを備えている。第一センサ部１Ａを構成する電極１１Ａ、１２Ａ、１３および４枚のフィルム部材は、上（座面９１１側）から下（車両ボディ３側）に、フィルム部材、第一検出電極１１Ａ、フィルム部材、第一ガード電極１２Ａ、フィルム部材、サブ基準電極１３、フィルム部材の順に配置されている。各フィルム部材間には例えば接着剤が介在している。
【００３２】
第二センサ部１Ｂは、第二検出電極１１Ｂと、第二ガード電極１２Ｂと、図示しない３枚のフィルム部材とを備えている。第二センサ部１Ｂを構成する電極１１Ｂ、１２Ｂおよび３枚のフィルム部材は、上（座面９１１側）から下（車両ボディ３側）に、フィルム部材、第二検出電極１１Ｂ、フィルム部材、第二ガード電極１２Ｂ、フィルム部材の順に配置されている。第二検出電極１１Ｂは、後述するが２つの部位１１１Ｂ、１１２Ｂに分割されている。各フィルム部材間には例えば接着剤が介在している。
【００３３】
第一ガード電極１２Ａおよび第二ガード電極１２Ｂは、検出電極１１Ａ、１１Ｂと同構成であって、後述するオペアンプ２５に接続されている。サブ基準電極１３は、検出電極１１Ａ、１１Ｂの構成うち幅（左右（車幅）方向の長さ）を小さくしたものであり、基準電位である車両接地ＧＮＤに接続されている。
【００３４】
本実施形態の乗員検知ＥＣＵ２は、オペアンプ２５を備えている。オペアンプ２５は、入力側に電圧印加部２１が接続され、出力側にガード電極１２Ａ、１２Ｂが接続されたオペアンプである。オペアンプ２５は、検出電極１１Ａ、１１Ｂに印加される電圧と同電圧をガード電極１２Ａ、１２Ｂに印加する。これにより、検出電極１１Ａ、１１Ｂとガード電極１２Ａ、１２Ｂは、同電位となる。
【００３５】
ガード電極１２Ａ、１２Ｂは、検出電極１１Ａ、１１Ｂの下側（座面９１１と反対側）で検出電極１１Ａ、１１Ｂと同電位になることで、検出電極１１Ａ、１１Ｂが下側で車両ボディ３やサブ基準電極１３と電界を形成することを防止している。つまり、ガード電極１２Ａ、１２Ｂは、検出電極１１Ａ、１１Ｂが確実に座面９１１上に電界を形成するためのものである。
【００３６】
図１１に示すように、第一センサ部１Ａのサブ基準電極１３は、第一検出電極１１Ａ及び第一ガード電極１２Ａよりも幅が小さく、第二センサ部１Ｂの車両幅方向中央に対向する位置に配置されている。
【００３７】
第二センサ部１Ｂの第二検出電極１１Ｂは、幅方向に２つに分割されている。２つに分割された第二検出電極１１Ｂの一方（以下、第二検出電極１１１Ｂという）は、第二センサ部１Ｂの幅方向の一方側（図面左側）に配置されている。２つに分割された第二検出電極１１Ｂの他方（以下、第二検出電極１１２Ｂという）は、第二センサ部１Ｂの幅方向の他方側（図面右側）に配置されている。
【００３８】
第二検出電極１１１Ｂ、１１２Ｂは、幅方向に間隔を空けて配置されている。つまり、第二検出電極１１１Ｂ、１１２Ｂは、第二センサ部１Ｂの幅方向中央に隙間を有している。
【００３９】
第一センサ部１Ａのサブ基準電極１３は、第二検出電極１１１Ｂ、１１２Ｂの間の、検出電極が存在しない位置に対向して配置されている。換言すると、サブ基準電極１３は、検出電極が存在しない位置の上方に配置されている。
【００４０】
第二ガード電極１２Ｂは、1枚で構成され、第二検出電極１１１Ｂ、１１２Ｂ及び両者間の間隔の下方に配置されている。
【００４１】
第二センサ部１Ｂは、平面視（座面９１１から見た際）において、第一センサ部１Ａと一部（幅方向一方側部位）が重なり、第一センサ部１Ａに対して幅方向他方側（図面右側）にずれて配置されている。したがって、第二検出電極１１Ｂの一部（幅方向他方側部位）は、上方に電極が存在せず、乗員を介して検出−ボディ間に電界を形成する。
【００４２】
図１２に示すように、センサ本体部１が変位していない状態では、第一検出電極１１Ａと第二検出電極１１２Ｂの一端部（図面右側部分）が車両ボディ３と電界を形成する。
【００４３】
一方、図１３に示すように、センサ本体部１が変位した状態、すなわち第一センサ部１Ａと第二センサ部１Ｂとが相対的に幅方向の離れる方向に変位した状態では、第二検出電極１１２Ｂの上方の電極がずれて上方に存在しなくなり、第二検出電極１１２Ｂによる検出−ボディ間の静電容量は大きくなる。
【００４４】
さらに、上記状態では、サブ基準電極１３が相対移動することで、第二検出電極１１１Ｂとサブ基準電極１３が対向する位置（重なる位置）に配置される。変位により、第二検出電極１１１Ｂとサブ基準電極１３の対向面積が増えるともいえる。これにより、第二検出電極１１１Ｂとサブ基準電極１３の間で電界が形成され、検出−サブ間の静電容量が全体の静電容量に追加される。ただし、変位した場合よりも小さいが、変位がない状態でも当該検出−サブ間の静電容量は検出される。このように、第二実施形態によれば、第一実施形態以上に、大人とＣＲＳの静電容量差を大きくすることができ、判別精度を高めることができる。
【００４５】
第二実施形態の配置例を図１４及び図１５を参照して説明する。ただし、図面において座面９１１は省略する。図１４に示すように、センサ本体部１は、複数のセンサ部を有し、第一センサ部１Ａと第二センサ部１Ｂが１セットとして左右対称に配置されている。以下、図面左側の１セットについて説明し、右側の１セットの説明は省略する。
【００４６】
第一センサ部１Ａは、座面部９１の左端部位（ウレタン部位）Ｚに固定されている。第二センサ部１Ｂは、第一センサ部１Ａの下方且つ右にずれた位置に配置されている。第二センサ部１Ｂの右端部は、座面部９１内部中央の固定部位Ｙに固定されている。このように、センサ部１Ａ、１Ｂの一方の端部は、座面部９１に対して固定されている。
【００４７】
図１４に示すように、座面９１１上にＣＲＳが配置された場合、センサ本体部１が全体的に押圧され、ほとんど変位しない。この場合、上記のように検出−ボディ間の静電容量と、第二検出電極１１１Ｂとサブ基準電極１３の静電容量が検出される。
【００４８】
一方、図１５に示すように、座面９１１上に大人が着座した場合、お尻等の接触部分が強く押圧され、センサ本体部１は全体的に変位する。具体的に、第一センサ部１Ａの右端が押し下げられ、第一センサ部１Ａにより第二センサ部１Ｂの左端が押し下げられる。これにより、第二検出電極１１２Ｂの上方に電極がなくなる（クッションを介した露出面積が大きくなる）とともに、第二検出電極１１１Ｂとサブ基準電極１３との対向面積が大きくなる。そして、検出される静電容量は大きくなる。
【００４９】
さらに、座面９１１上にＣＲＳが配置された場合と比較して、乗員と結合する電極面積が増加するので、全体の静電容量がさらに増加する。
【００５０】
＜変形態様＞
本発明は、上記実施形態に限らず、上記実施形態を例えば以下のように変形することができる。センサ本体部１は、図１６及び図１７に示すように、座面９１１への着座時の圧力分布に基づいて配置されることが好ましい。図１６及び図１７は模式図であり、点々模様の部分は空白部分よりも圧力が高く、細い斜線部分は点々模様の部分よりも圧力が高く、太い斜線部分は細い斜線部分より圧力が高い（空白＜点々＜細い斜線＜太い斜線）。例えば図８及び図１５に示すように、座面９１１のお尻や太股が当接する部分に応じて配置することでより確実に静電容量の変化量を大きくすることができる。
【００５１】
また、判別部２４は、乗員検知ＥＣＵ２に限らず、他のＥＣＵ（例えばエアバッグＥＣＵ）に配置されていても良い。また、センサ本体部１は、被水検知用の電極（図示せず）を備えていても良い。被水検知用電極は、検出電極１１Ａ、１１Ｂと略同一平面上で検出電極１１Ａ、１１Ｂに沿って配置されている。換言すると、被水検知用電極は、検出電極１１Ａ、１１Ｂから間隔を空けた隣に配置されている。乗員を検知する際は、被水検知電極を検出電極１１Ａ、１１Ｂと同電位とし、被水を検知する際は、被水検知電極を基準電位とし、検出電極１１Ａ、１１Ｂと被水検知電極との間（検出−被水間）の静電容量を検出する。検出−被水間の静電容量に基づいて、座面９１１の被水が検知される。
【００５２】
また、センサ本体部は、第一検出電極１１Ａと第二検出電極１１Ｂ、または第一センサ部１Ａと第二センサ部１Ｂとが別々に変位可能に分離形成されていれば良い。より詳細には、第一検出電極１１Ａと第二検出電極１１Ｂ、または第一センサ部１Ａと第二センサ部１Ｂの向かい合う端部同士が分離していれば良い。
【００５３】
また、センサ本体部１は、第一センサ部１Ａと第二センサ部１Ｂが、それぞれ別体に形成されても良い。別体に形成された場合、各検出電極またはセンサ部が乗員検知ＥＣＵ２に接続され、電圧印加部２１はそれぞれに電圧を印加し、電流検出部２２はそれぞれの電流を検出する。第一検出電極１１Ａと第二検出電極１１Ｂ、または第一センサ部１Ａと第二センサ部１Ｂのそれぞれを別体（第一実施形態の場合、例えばそれぞれ長板状）で形成することで、センサ本体部１の作成が容易となる上、配置の自由度が大きくなる。
【００５４】
一方、センサ本体部１が一体成形（スリット形成）されている場合、部品点数や組み付け工数の削減が可能となる。第二実施形態の場合、センサ本体部を一体成形すると、例えば図１８に示すような構成となる。つまり、第一検出電極１１Ａと第二検出電極１１Ｂ、または第一センサ部１Ａと第二センサ部１Ｂの一端同士を結合した構成となる。また、ガード電極１２は無くても良い。ただし、ガード電極１２が存在することで、より確実に電界を判別対象を介して形成することができる。
【００５５】
以上変形態様によっても、上記実施形態同様の効果が発揮される。なお、図面は、フィルム部材を省略したものを表している。
【００５６】
また、本発明は、タッチパネルにおける接触検知センサとしても適用できる。例えば図８や図１５の大人の押圧部分を指とすると、実施形態同様の効果が発揮される。本発明によれば、変位可能なフレキシブルな画面（接触面）を指等で押した場合、画面及びセンサ本体部１が変位し、上記実施形態同様の作用により、静電容量の増加量を大きくすることができる。この場合、例えば本発明の静電容量センサは、画面を有する筐体（本体）内に配置される。当該筐体や座面部９１は、センサ本体部を収容する本体であり、画面や座面９１１は検出対象が接触する接触面である。
【００５７】
また、本発明は、接触面がないものでも良く、検出対象が直接的に、センサ本体部、検出電極、第一センサ部、及び第二センサ部に押圧するものでも良い。つまり、検出対象によるセンサ本体部への押圧は、直接的でも、座面９１１や画面等の接触面を介した間接的であっても良い。
【符号の説明】
【００５８】
１：センサ本体部、  １１Ａ：第一検出電極、  １１Ｂ：第二検出電極
２１：電圧印加部、  ２２：電流検出部、  ２３：容量検出部、  ２４：判別部
３：車両ボディ（基準電極）、  ９１：座面部、  ９１１：座面
【図１】
2013190405.tif 000003
【図２】
2013190405.tif 000004
【図３】
2013190405.tif 000005
【図４】
2013190405.tif 000006
【図５】
2013190405.tif 000007
【図６】
2013190405.tif 000008
【図７】
2013190405.tif 000009
【図８】
2013190405.tif 000010
【図９】
2013190405.tif 000011
【図１０】
2013190405.tif 000012
【図１１】
2013190405.tif 000013
【図１２】
2013190405.tif 000014
【図１３】
2013190405.tif 000015
【図１４】
2013190405.tif 000016
【図１５】
2013190405.tif 000017
【図１６】
2013190405.tif 000018
【図１７】
2013190405.tif 000019
【図１８】
2013190405.tif 000020